(57)【特許請求の範囲】
【請求項１】
自身が取り付けられた物品の識別情報を記憶する非接触読取が可能なメモリと、前記メモリを非接触で読み取る読取手段を有する撮影手段と、物品に関する情報である物品情報と前記識別情報とを対応付けして記憶するデータベースと、前記撮影手段によって撮影された画像中に存在する各種の物品を濃度，色味およびテクスチャのいずれか１つ以上について適正に再生する画像処理を行う画像処理手段とを有し、
前記撮影手段は、撮影時に、前記メモリに記憶された識別情報を読み取り、撮影画像とこの撮影画像に対応する前記識別情報とを対応付けて前記画像処理手段に供給し、
前記画像処理手段は、前記識別情報を用いて前記データベースから対応する物品情報を読み出し、この物品情報を用いて前記画像処理を行うことを特徴とする画像処理システム。
【請求項２】
前記撮影手段は、撮影時に、複数の前記メモリに記憶された識別情報を読み取り、撮影画像とこの撮影画像に対応する前記識別情報とを対応付けして前記画像処理手段に供給する、請求項１に記載の画像処理システム。
【請求項３】
自身が取り付けられた物品に関する情報である物品情報を記憶する非接触読取が可能なメモリと、前記メモリを非接触で読み取る読取手段を有する撮影手段と、前記撮影手段によって撮影された画像中に存在する各種の物品を濃度，色味およびテクスチャのいずれか１つ以上について適正に再生する画像処理を行う画像処理手段とを有し、
前記撮影手段は、撮影時に、前記メモリに記憶された物品情報を読み取り、撮影画像とこの撮影画像に対応する前記物品情報とを対応付けして前記画像処理手段に供給し、
前記画像処理手段は、供給された物品情報を用いて前記画像処理を行うことを特徴とする画像処理システム。
【請求項４】
前記撮影手段は、撮影時に、複数の前記メモリに記憶された物品情報を読み取り、撮影画像とこの撮影画像に対応する前記物品情報とを対応付けして前記画像処理手段に供給する、請求項３に記載の画像処理システム。
【請求項５】
前記物品情報が、この物品の色味情報としての分光反射率データ、およびこの物品のテクスチャパターンに関する情報の少なくとも１つを含む請求項１〜４のいずれかに記載の画像処理システム。
【請求項６】
前記画像処理手段は、必要に応じて、この物品以外の画像中の被写体に関しても、前記物品情報を用いて、この物品に応じた画像処理を行う請求項１〜５のいずれかに記載の画像処理システム。
【請求項７】
前記物品情報として、適正な状態の前記物品を含む基準画像を有し、前記画像処理手段は、この基準画像を用いて前記画像処理を行う請求項１〜６のいずれかに記載の画像処理システム。
【請求項８】
前記物品情報として、前記物品に関連する情報を有し、前記画像処理手段は、必要に応じて、前記物品に関連する情報を前記画像に合成する請求項１〜７のいずれかに記載の画像処理システム。
【請求項９】
前記物品の識別情報を記憶する非接触読取が可能なメモリに記憶された情報と複数の画像とを対応付けして記憶する画像データベースを有し、前記画像処理手段は、前記メモリに記憶された情報を用いて前記画像データベースから対応する画像を読み出し、読み出した画像についても、前記物品に関する情報を用いた画像処理を行う請求項１〜８のいずれかに記載の画像処理システム。
【請求項１０】
特定場所の照明光に関する照明情報の記憶手段を有し、前記画像処理手段は、前記記憶手段から照明情報を読み出して、この照明情報と前記物品情報とを用いて、対応する特定場所における前記物品の見え方を再現する請求項１〜９のいずれかに記載の画像処理システム。
【発明の詳細な説明】
【技術分野】
【０００１】
本発明はデジタルカメラ等で撮影された画像（画像データ）の画像処理の技術分野に属し、詳しくは、カメラの性能や撮影光源等によらず、撮影された画像中に存在する各種の物品の色等を適正に再生することを可能にする画像処理システムに関する。
【背景技術】
【０００２】
現在、ネガフィルム、リバーサルフィルム等の写真フィルム（以下、フィルムとする）に撮影された画像の印画紙（感光材料）への焼き付けを、スキャナによって、フィルム（フィルムに撮影された画像）を光電的に読み取って、画像処理装置によって、得られた信号をデジタル信号とした後、種々の画像処理を施して記録用の画像データとし、プリンタ（プリンタ／プロセサ）によってこの画像データに応じて変調した記録光で印画紙を露光して行い、所定の現状処理を施してプリントとして出力する、デジタルフォトプリンタが実用化されている。
【０００３】
一方で、パーソナルコンピュータ（ＰＣ）やＰＤＡ（Personal Digital Assistant) 等の普及に伴い、デジタルカメラの普及率が拡大している。デジタルカメラで撮影された画像は、例えば、ＰＣ等に取り込まれて処理され、ホームページや年賀状等の各種の用途に使用される。
また、デジタルフォトプリンタによれば、画像を光電的に読み取って、デジタルの画像データとして画像処理を行うので、デジタルカメラ（これに装填される記録媒体）や、先に画像データを出力したＣＤ−Ｒなどの記録媒体等から画像データを受け取り、この画像データが担持する画像を再生したプリントを出力することもできるので、近年では、ラボ店等の専門のプリント業者によって、デジタルカメラで撮影された画像からのプリント作成が行われている。
【０００４】
ところで、デジタルカメラや写真フィルムによる画像は、カメラの性能や撮影光源等によって大きく影響を受ける。そのため、これらによるデジタルの画像データを、プリントやディスプレイの表示画像などの可視像として再生する際には、画像の色味等を適正にするために、各種の画像処理が行われる。
【０００５】
例えば、特許文献１には、複数コマの画像データの画像処理を行う際に、第１のコマの画像において指定された、顔、頭髪、眼、唇、胴体、衣服、装身具の特定領域の画像を修正すると共に、この特定領域の画像特徴量と処理条件を記憶して、これ以降のコマについて、特定領域と画像特徴量が類似する領域は、第１のコマにおける特定領域と同様の処理条件で画像処理を行う画像処理方法が開示されている。
また、特許文献２には、主にフィルムに撮影された画像の画像処理において、１件の全コマの画像データから求めた全コマに共通のグレーバランスと、各コマ毎に求めた各コマのグレーバランスとを重み付けして用いて、各コマ毎のグレーバランスの調整条件を求める画像処理が開示されている。
【先行技術文献】
【特許文献】
【０００６】
【特許文献１】特開平１１−２７５３５１号公報
【特許文献２】特開平１１−３１７８８０号公報
【発明の概要】
【発明が解決しようとする課題】
【０００７】
特許文献１に開示される画像処理方法によれば、第１のコマで特定領域として指定された部分は適正に仕上がる。
しかしながら、この方法では、特定領域の指定という作業が必要であり、さらに、特定領域として指定された物以外に関しては、色味等が実物とは異なる不適正な物になってしまう可能性もある。
【０００８】
他方、特許文献２に開示される画像処理によれば、全コマに共通のグレーバランスを用いて、各コマのグレーバランスと重み付けしてグレーバランスの調整条件を設定することにより、カラーフェリア等の影響を排除して、再生画像の全体的なグレーバランスを適正できる。
しかしながら、この方法でも、やはり、画像中に存在する個々の物体等に関しては、色味等が実物とは異なる不適正な物になってしまう可能性がある。
【０００９】
本発明の目的は、前記従来技術の問題点を解決することにあり、デジタルカメラ等で撮影されたデジタルの画像データの画像処理において、撮影光源やカメラの性能等によらず、画像データを可視像として再生した際に、画像中に存在する各種の物品を実物に極めて近い適正な色味やテクスチャで再生することを可能にする画像処理システムを提供することにある。
【課題を解決するための手段】
【００１０】
前記目的を達成するために、本発明の画像処理システムの第１の態様は、自身が取り付けられた物品の識別情報を記憶する非接触読取が可能なメモリと、前記メモリを非接触で読み取る読取手段を有する撮影手段と、物品に関する情報である物品情報と前記識別情報とを対応付けして記憶するデータベースと、前記撮影手段によって撮影された画像中に存在する各種の物品を濃度，色味およびテクスチャのいずれか１つ以上について適正に再生する画像処理を行う画像処理手段とを有し、前記撮影手段は、撮影時に、前記メモリに記憶された識別情報を読み取り、撮影画像とこの撮影画像に対応する前記識別情報とを対応付けして前記画像処理手段に供給し、前記画像処理手段は、前記識別情報を用いて前記データベースから対応する物品情報を読み出し、この物品情報を用いて前記画像処理を行うことを特徴とする画像処理システムを提供する。
ここで、前記撮影手段は、撮影時に、複数の前記メモリに記憶された識別情報を読み取り、撮影画像とこの撮影画像に対応する前記識別情報とを対応付けして前記画像処理手段に供給することが好ましい。
【００１１】
また、本発明の画像処理システムの第２の態様は、自身が取り付けられた物品に関する情報である物品情報を記憶する非接触読取が可能なメモリと、前記メモリを非接触で読み取る読取手段を有する撮影手段と、前記撮影手段によって撮影された画像中に存在する各種の物品を濃度，色味およびテクスチャのいずれか１つ以上について適正に再生する画像処理を行う画像処理手段とを有し、前記撮影手段は、撮影時に、前記メモリに記憶された物品情報を読み取り、撮影画像とこの撮影画像に対応する前記物品情報とを対応付けして前記画像処理手段に供給し、前記画像処理手段は、供給された物品情報を用いて前記画像処理を行うことを特徴とする画像処理システムを提供する。
ここで、前記撮影手段は、撮影時に、複数の前記メモリに記憶された物品情報を読み取り、撮影画像とこの撮影画像に対応する前記物品情報とを対応付けして前記画像処理手段に供給することが好ましい。
【００１２】
このような本発明の画像処理システムにおいて、前記物品情報が、この物品の色味情報としての分光反射率データ、この物品の濃度に関する情報、および、この物品のテクスチャに関する情報の少なくとも１つを含むのが好ましく、また、前記画像処理手段は、必要に応じて、この物品以外の画像中の被写体に関しても、前記物品情報を用いて、この物品に応じた画像処理を行うのが好ましく、また、前記物品情報として、適正な状態の前記物品を含む基準画像を有し、前記画像処理手段は、この基準画像を用いて前記画像処理を行うのが好ましく、また、前記物品情報として、前記物品に関連する情報を有し、前記画像処理手段は、必要に応じて、前記物品に関連する情報を前記画像に合成するのが好ましい。
【００１３】
また、前記物品の識別情報を記憶する非接触読取可能なメモリに記憶された情報と複数の画像とを対応付けして記憶する画像データベースを有し、前記画像処理手段は、前記メモリに記憶された情報を用いて前記画像データベースから対応する画像を読み出し、読み出した画像についても、前記物品に関する情報を用いた画像処理を行うのが好ましく、さらに、特定場所の照明光に関する照明情報の記憶手段を有し、前記画像処理手段は、必要に応じて、前記記憶手段から照明情報を読み出して、この照明情報と物品情報とを用いて、対応する特定場所における前記物品の見え方をシミュレーションするのが好ましい。
【発明の効果】
【００１４】
本発明に係る画像処理システムによれば、デジタルカメラ等で撮影された画像データの画像処理において、撮影光源やカメラの性能等によらず、画像データを可視像として再生した際に、画像中に存在する各種の物品を実物に極めて近い適正な色味やテクスチャで再生することが可能になる。
【図面の簡単な説明】
【００１５】
【図１】本発明の画像処理システムの一例の概念図である。
【発明を実施するための形態】
【００１６】
以下、本発明の画像処理システムについて、添付の図面に示される好適実施例を基に、詳細に説明する。
【００１７】
図１に、本発明の画像処理システムの一例の概念図を示す。
図示例の画像処理システム１０（以下、システム１０とする）は、デジタルカメラ１２（以下、カメラ１２とする）が撮影した画像に画像処理を施すシステムで、カメラ１２と、衣類やアクセサリなどの各種の物品に取り付けられるＩＣタグ１４と、画像処理部１６と、データベース１８とを有して構成される。
画像処理部１６とデータベース１８とは通信手段２４で接続されており、また、画像処理部１６には、ディスプレイ２０およびプリンタ２２が接続される。
【００１８】
なお、通信手段２４は、各種のものが利用可能であり、インターネットやＬＡＮ(Local Area Network)等のコンピュータ通信ネットワークでも、本発明のシステム１０に専用の専用回線でもよい。
ディスプレイ２０も、ＣＲＴ（Cathode Ray Tube）やＬＣＤ（液晶ディスプレイ）などの各種のディスプレイが利用可能である。
さらに、プリンタ２２も、画像データに応じて変調した記録光で印画紙（感光材料）を露光して湿式の現像処理を施す写真プリンタ、電子写真プリンタ、インクジェットプリンタ等の各種のプリンタ（画像記録装置）が利用可能である。
【００１９】
ＩＣタグ１４は、アンテナやメモリなどを含むＩＣチップなどを有し、非接触でＩＣタグリーダ３０（読取手段）と無線で接続／通信する、例えばＲＦＩＤ(Radio Frequency IDentification)技術を利用する、公知のＩＣタグである。
なお、本発明において、各種の物品に取り付けられるメモリは、ＩＣタグ１４に限定はされず、カメラ１２に装着された読取手段による非接触読取が可能なものであれば、各種のものが利用可能である。
【００２０】
本発明において、ＩＣタグ１４（メモリ）は、各種の物品（動物などの生物を含む）に取り付けられ、その物品を識別するためのＩＤ情報を記憶している。
図示例のシステム１０においては、ＩＣタグ１４は、被写体（人物）が身に付ける各種の物品、例えば、指輪、ネックレス、イヤリング、ピアス、ブローチなどのアクセサリー、ハンドバック、ショルダーバッグ、セカンドバッグなどのバッグ類、帽子、シャツ、スカート、ジャケット、ネクタイなどの衣類、ファンデーション、口紅、アイシャドーなどの化粧品（例えば、ケースに取り付ければよい）等に取り付けられる。
図１に示される例においては、イヤリング３２にＩＣタグ１４ａが、シャツ３４にＩＣタグ１４ｂが、それぞれ取り付けられている。
【００２１】
本発明において、ＩＣタグ１４の取り付け位置には、特に限定はなく、取り付ける物品に応じて、外観、機能、取り扱い性などの低下を生じることなく、かつ、無線通信が可能な位置を、適宜、決定すればよい。
【００２２】
なお、図示例において、ＩＤ情報は、基本的に、物品の個々を判別できる必要はなく、物品の種類（例えば、物品のメーカおよび型番）が判別できればよい。但し、後述する、例えば動物や動物を収容する檻等にＩＣタグを取り付ける場合のように、同じ種類でも色味等に個体差を有する物品にＩＣタグを取り付ける場合には、個々を判別できるようにＩＤ情報を付与してもよい。
【００２３】
（デジタル）カメラ１２は、ＩＣタグ１４に記録されている情報を読み取るためのＩＣタグリーダ３０（以下、タグリーダ３０とする）、および、ＩＣタグ１４から読み取った情報と、撮影した画像とを対応付けして出力する機能を有する以外には、基本的に、通常のデジタル（スチル）カメラである。
タグリーダ３０は、ＩＣタグ１４と無線接続して、ＩＣタグ１４に記録された情報を読み取る、例えば先と同様のＲＦＩＤ技術を利用する公知のＩＣタグセンサ（ＩＣタグリーダ／ライタ）である。
【００２４】
システム１０において、カメラ１２は、例えば撮影時にタグリーダ３０によってＩＣタグ１４に記録された情報（ＩＣタグ１４が取り付けられた物品のＩＤ情報）を読み取る。
カメラ１２は、撮影した画像の画像データと、ＩＣタグ１４から読み取ったＩＤ情報とを対応付けして、例えば、内蔵するメモリに記憶し、あるいは、カメラ１２に装着されるスマートメディアＴＭやｘＤ−ピクチャーカードＴＭなどの記憶媒体に記憶する。なお、物品のＩＤ情報は、例えば、画像データ（画像ファイル）のヘッダ等に記録すればよい。
【００２５】
画像処理部１６は、カメラ１２が撮影した画像データに画像処理を施すものである。具体的には、画像処理部１６は、カメラ１２のタグリーダ３０によって読み取られた物品のＩＤ情報を用いて、後述するデータベース１８から、このＩＤ情報に対応する物品の色味情報を読み出し、この色味情報を用いて、画像中の対応する物品の色味が、この色味情報に応じた色となるように、画像を補正する。この作用に関しては、後に詳述する。
また、図示例においては、画像処理部１６は、処理済の画像データをディスプレイ２０に出力して、この画像を表示させ、および／または、画像データをプリンタ２２に出力して、この画像を再生したプリントを出力させる。
【００２６】
なお、画像処理部１６が行う画像処理は、これに限定はされず、色／濃度補正、階調補正、電子変倍処理、シャープネス処理（鮮鋭度強調）、画像濃度ダイナミックレンジの圧縮（画像データ処理による覆い焼き効果の付与）等、公知の各種の画像処理を行ってもよい。
このような画像処理部１６は、例えば、パーソナルコンピュータ（ＰＣ）やワークステーション（ＷＳ）等を利用して構成すればよく、あるいは、前述のデジタルフォトプリンタの画像処理装置に組み込まれるものであってもよい。
【００２７】
データベース１８は、例えば、ＰＣやＷＳ等を利用して構成されるもので、ＩＣタグ１４に記憶される各種の物品のＩＤ情報と、その物品の実際の色を示す色味情報とを、対応付けして登録（記憶）している。例えば、イヤリング３２およびシャツ３４のそれぞれについて、ＩＤ情報と色味情報とを対応付けして記憶している。
色味情報は、対応する物品の実際の色を知見できる情報であればよい。例えば、Day Light などの所定の光源下におけるＲ（赤）、Ｇ（緑）およびＢ（青）の画像データや、分光反射率データを色味情報とすればよい。
【００２８】
データベース１８は、例えば、写真館やラボ店等が有し、物品のメーカ等からのデータ取得、適正条件下で物品を撮影して色を測定、両者の併用等を行って構築してもよく、あるいは、物品のメーカや販売会社に構築されるものであってもよい。従って、データベース１８は、１つであるのにも限定はされず、複数であってもよい。さらに、データベースへの物品情報の登録のタイミングにも特に限定はない。
また、図示例においては、データベース１８と画像処理部１６とは、通信手段２４によって接続されているが、本発明は、これに限定はされず、例えば、画像処理部１６とデータベース１８とは、直接的に接続される構成でもよく、画像処理部１６とデータベース１８とが一体的な構成でもよい。
【００２９】
以下、システム１０の作用を説明することにより、本発明の画像処理システムについて、より詳細に説明する。
【００３０】
前述のように、カメラ１２は、被写体を撮影する際に、タグリーダ３０が被写体が身に着けている物品のＩＣタグ１４を読み取って、物品のＩＤ情報を取得し、撮影画像の画像データと物品のＩＤ情報とを対応付けして、自身のメモリに記憶し、あるいは、ｘＤ−ピクチャーカードＴＭなどの記憶媒体に記憶する。
図示例においては、イヤリング３２にＩＣタグ１４ａが、シャツ３４にＩＣタグ１４ｂが、それぞれ取り付けられているので、カメラ１２は、両ＩＣタグ１４から、イヤリング３２のＩＤ情報およびシャツ３４のＩＤ情報を取得し、これと画像データとを対応付けして、記憶する。
【００３１】
カメラ１２で撮影した画像を画像処理部１６で処理する際には、画像処理部１６は、例えば、カメラ１２から、直接、画像データ（画像ファイル）を読み取り、あるいは、画像データを記憶する記憶媒体を装着され、これを読み取ることによって、画像データ（画像ファイル）を取得する。
次いで、画像処理部１６は、画像データに関連付けされたイヤリング３２とシャツ３４のＩＤ情報を知見する。さらに、通信手段２４でデータベース１８と接続して、このＩＤ情報を用いてデータベース１８を検索し、イヤリング３２とシャツ３４の色味情報を読み出す。すなわち、物品に取り付けられたＩＣタグ１４からＩＤ情報を読み取り、このＩＤ情報を用いて物品の種類を認識して、データベース１８から、この物品の色味情報を取得する。
【００３２】
次いで、画像処理部１６は、この色味情報を用いて、イヤリング３２およびシャツ３４が色味情報に対応する色となるように、画像データを補正する。
まず、画像処理部１６は、色／濃度検出、形状認識、テンプレートマッチング、テクスチャパターンの認識等により、画像中から対応する物品すなわちイヤリング３２およびシャツ３４の領域を抽出する。
次いで、この領域の画像解析を行って、再生画像においてイヤリング３２およびシャツ３４が色味情報に応じた色となるような画像処理条件を設定し、画像データの画像処理を行う。例えば、色味情報が Day Light下におけるＲ、ＧおよびＢの画像データであれば、再生画像中のイヤリング３２およびシャツ３４が、この色となるように画像処理条件を設定し、画像処理を行う。
【００３３】
この色味情報に応じた画像処理は、個々の物品毎に、その物品の領域（図示例であれば、イヤリング３２およびシャツ３４の領域）のみに行ってもよく、あるいは、全体的に画像処理を行ってもよい。
なお、全体的に画像処理を行う場合に、図示例のように、ＩＣタグ１４を有する物品が複数ある場合には、総合的に画像処理条件を設定する。
【００３４】
画像処理を終了したら、画像処理部１６は、処理済の画像データをディスプレイ２０に出力して、可視像として再生し、あるいは、プリンタ２２に出力して、撮影画像を再生したプリントを出力する。
【００３５】
すなわち、本発明によれば、カメラ１２によって、各種の物品に取り付けられたＩＣタグ１４からＩＤ情報を読み取り、このＩＤ情報を用いて物品の種類を認識して、データベース１８から、この物品の色味情報を読み出して、画像中における対応する物品の色が、この色味情報に対応した色となるように、画像を補正する。
従って、カメラ１２の性能や撮影光源等によらず、カメラ１２で撮影した画像を可視像として再生した際に、画像中の物品を実物に近い色で再現した、高画質な画像を再生できる。
【００３６】
本発明において、データベース１８に記憶する物品情報は物品の色味情報に限定はされず、物品に関する各種の情報が利用可能であり、また、複数種の物品情報を記憶してもよく、画像処理部１６では、これに応じて、各種の画像処理を行うようにしてもよい。
【００３７】
例えば、データベース１８に、各物品のメーカが推奨する明度の情報を物品情報として記憶しておき、この明度となるように、あるいは近づけるように、画像処理を行うようにしてもよい。
【００３８】
また、物品のテクスチャパターンを物品情報として記憶しておき、このテクスチャパターンを適正に再現するように、画像処理部１６で画像処理を行うようにしてもよい。また、例えば、物品のメーカ等で、エンブレムやロゴなど、物品（商品）の強調したい部分を指定して、これを物品情報として記憶し、シャープネス処理などによってこの部分を強調するように、画像処理部１６で画像処理を行うようにしてもよい。あるいは、データベース１８に用意された高解像度画像データを、局所的に合成するようにしてもよい。
これらの態様によれば、例えば、カメラ１２の解像度が低い場合であっても、物品の性状や特徴を好適に表現した画像を再生することが可能である。
【００３９】
また、写真館等において、事前に最適な撮影条件下でＩＣタグ１４が取り付けられた（あるいは取り付け予定）の物品を撮影し、この画像（以下、基準画像とする）を物品情報としてデータベース１８に記憶してもよい。画像処理部１６では、この基準画像を読み出し、再生する画像中で物品の色味やテクスチャが基準画像と一致するように、画像処理条件を設定して、画像処理を行う。
さらに、痩身仕上げ、色白仕上げ、ソフトフォーカス仕上げのような、顧客の好みなどを顧客情報を登録しておき、物品のＩＤ情報から、被写体人物を特定し、この顧客情報に応じた補正を行うように、画像処理条件を設定してもよい。
【００４０】
また、この物品の外観以外の物品に関連する情報（以下、関連情報とする）を物品情報としてもよい。関連情報としては、例えば、物品の詳細情報、物品の関連商品の情報、物品の最新製品の情報等が例示される。
このような関連情報を取得した際には、例えば、画像処理部１６は、これらの情報をテキスト情報として画像（画像データ）に合成して、ディスプレイ２０に表示する。もしくは、関連情報を静止画や動画として再生してもよく、さらに、画像データに対応する音声情報として合成を行い、画像表示中に音声で関連情報を再生してもよい。
【００４１】
さらに、結婚式場やホテルのパーティー会場など、特定の場所の照明情報をデータベース１８（他の場所でも可）に記憶しておき、照明情報と色味情報を用いて、この特定場所での物品の見え方をシミュレーションしてもよい。
この際には、例えば、画像データを供給された際に、画像処理部１６がＩＤ情報を用いて物品（一例としてシャツ３４とする）の色味情報を読み出すと共に、指定された特定場所の照明情報とを読み出す。次いで、照明情報と色味情報とを用いて、シャツ３４が、この特定場所でどのように見えるかをシミュレーションして、シミュレーション結果に応じて、特定場所での見え方を再現するように、画像処理条件を設定する。以降は、同様に、画像データを、この画像処理条件で処理して、指定された特定場所でのシャツ３４の見え方をシミュレーションした画像をディスプレイ２０に表示し、あるいは、プリンタ２２で出力する。
【００４２】
画像処理部１６による画像処理は、ＩＤ情報を取得した物品に対応した物のみにも限定されず、物品の色味情報等に応じて、他の領域の色味等を補正するようにしてもよい。
例えば、ＩＤ情報からファンデーションや口紅の色味情報を取得した際に、その色が特定の色の場合には、その色に応じて、歯や歯茎の色味を調整するように画像処理条件を設定する。同様に、洋服の色が特定の色の場合には、その色に応じて、顔などの肌の色味を調整するように、画像処理条件を設定する。
この際において、どのような方向に歯や肌などの調整を行うと好ましいなど、画像処理条件の設定に必要な情報は、例えば、化粧品や衣料品のメーカが設定して、データベース１８に記録しておけばよい。あるいは、物品毎にＩＤ情報に対応付けして、補正情報としてデータベース１８に記憶してもよい。
【００４３】
以上の例では、ＩＣタグ１４が衣料品やアクセサリー等、人物が身に付けるものに取り付けられていたが、本発明は、これに限定はされず、各種の物品にＩＤ情報を記憶するＩＣタグ１４を取り付けて、かつ、そのＩＤ情報と色味情報等とを対応付けしてデータベース１８に登録して、カメラ１２で撮影された画像で、その物品が適正に仕上がるように、画像処理条件を設定することができる。
【００４４】
対応可能な物品としては、例えば、動物園や水族館において、動物自身や、動物を飼育する檻や水槽等にＩＣタグ１４を取り付けてもよい。
また、車や電車などの乗り物にＩＣタグを取り付けてもよい。
【００４５】
図示例のシステム１０は、データベース１８を有しており、ここに識別情報と物品情報とを対応付けして記憶しているが、本発明の別の態様では、ＩＣタグ１４に、このＩＣタグ１４が取り付けられた物品の色味情報やテクスチャパターン情報等の物品情報を記憶する。すなわち、図示例であれば、ＩＣタグ１４ａにイヤリング３２の物品情報を、ＩＣタグ１４ｂにシャツ３４の物品情報を、それぞれ記憶する。
【００４６】
カメラ１２は、例えば撮影時にＩＣタグ１４から物品情報を読み取り、物品情報と撮影画像とを対応付けして画像処理部１６に供給する。画像処理部１６は、カメラ１２から供給された物品情報を用いて、以下、先の態様と同様に、撮影された画像に画像処理を行う。
この構成によれば、データベース１８へのアクセスが不要になり、よりコンパクトで処理効率の良好な画像処理システムが実現できる。なお、本態様においては、物品を識別するための識別情報は、必ずしもＩＣタグ１４に記憶する必要はない。
【００４７】
以上の例では、カメラ１２がタグリーダ３０を有し、物品のＩＣタグ１４とカメラ１２のタグリーダ３０とで交信を行っているが、本発明の別の態様では、カメラ１２がタグリーダ３０を有さず、両者での交信を行わない。
【００４８】
この態様においては、カメラ１２（撮影手段）に、タグセンサ３０に変えて、自身のＩＤ情報を記憶するＩＣタグ１４を取り付けると共に、撮影方向および撮影時間の検出手段を付与する。撮影時間はデート機能のために内蔵する時計を利用すればよく、撮影方向は、各種の方向センサを利用すればよい。
また、ある所定領域の例えば床面に、二次元的に、時計を内蔵するタグリーダ３０を配列する。
【００４９】
カメラ１２は、前記所定領域で撮影を行った際には、撮影した画像（その画像データ）に対応付けして、自身のＩＤ情報（ＩＣタグ１４が記憶しているＩＤ情報）、撮影時間および撮影方向を画像処理部１６に供給する。
【００５０】
一方、タグリーダ３０は、連続的にＩＣタグ１４の検出を行い、カメラ１２や物品のＩＣタグ１４から読み取ったＩＤ情報と読取時間とを対応付けして画像処理部１６に供給する。なお、タグリーダ３０が時計を有していない場合には、ＩＣタグ１４の読取結果をリアルタイムで画像処理部１６に供給することで、画像処理部１６において、ＩＤ情報と読取時間との対応付けを取ればよい。
画像処理部１６は、ＩＤ情報を読み取ったタグリーダ３０の位置および読取時間、ならびに、このＩＤ情報を用いて、このＩＤ情報に対応する物体（すなわちカメラ１２もしくは物品）が、前記所定領域のどの位置に何時存在しているかを知見し、記憶する（以下、便宜的に、物体の位置時間情報とする）。
【００５１】
画像処理部１６は、カメラ１２から前記所定領域で撮影した撮影画像を供給されると、撮影画像に対応付けされているＩＤ情報、撮影時間および撮影方向、ならびに、前記物体の位置時間情報を用いて、撮影時にカメラ１２が存在した所定領域の位置、および撮影方向を検出する。
さらに、画像処理部１６は、撮影時間、検出したカメラ１２の位置と撮影方向、さらに、物体の位置時間情報を用いて、この撮影時間にカメラ１２による撮影領域に存在する物品のＩＤ情報を知見する。
【００５２】
これ以降は、先の例と同様に、ＩＤ情報を用いてデータベース１８から対応する物品情報を読み出し、この物品情報を用いて、画像処理を行う。
【００５３】
本発明においては、このカメラ１２がタグリーダ３０を有さない構成においても、別の態様として、先の例と同様に、データベースではなく、物品に取り付けられたＩＣタグ１４に色味情報やテクスチャパターン等の物品情報を記憶して、画像処理部において、同様の処理を行うようにしてもよい。
【００５４】
以上、本発明の画像処理システムについて説明したが、本発明は、上記実施例に限定はされず、本発明の趣旨を逸脱しない範囲において、各種の改良や変更を行ってもよいのは、もちろんである。
【００５５】
例えば、以上の説明は、本発明の画像処理システムを静止画を撮影するカメラ１２で構成したが、本発明は、これに限定はされず、動画を撮影するデジタルビデオカメラで本発明の画像処理システムを構成してもよく、さらに、静止画を撮影するカメラと動画を撮影するカメラとを混在して本発明の画像処理システムを構成してもよい。
また、本発明は基本的に、４つの態様を有するが、本発明にかかる画像処理システムにおいては、第１の態様〜第４の態様の２以上が混在してもよいのは、もちろんである。
【００５６】
さらに、画像処理結果をプリントやモニタに出力するのみならず、ＣＤ−ＲやＤＶＤ等の記録媒体に記録できるようにしてもよい。
また、本発明による画像処理を実施した画像と実施しない画像とを比較できるように、モニタに両画像を表示したり、表示する画像の切替等を行えるようにしてもよい。
【産業上の利用可能性】
【００５７】
本発明によれば、デジタルカメラ等で撮影された画像データの画像処理において、撮影光源やカメラの性能等によらず、画像データを可視像として再生した際に、画像中に存在する各種の物品を実物に極めて近い適正な色味やテクスチャで再生することが可能になるという顕著な効果が得られる。
【符号の説明】
【００５８】
１０  （画像処理）システム
１２  （デジタル）カメラ
１４，１４ａ，１４ｂ  ＩＣタグ
１６  画像処理部
１８  データベース
２０  ディスプレイ
２２  プリンタ
２４  通信手段
３０  タグリーダ
３２  イヤリング
３４  シャツ
【図１】
0004746680.tif 000002